(57)【特許請求の範囲】
【請求項１】
２以上の機種の電動機のいずれかを択一的に固定可能な電動機固定ベースであって、
前記電動機の取付脚が固定される複数の取付脚固定部を有し、
前記複数の取付脚固定部の間の部分であり、かつ前記電動機の機種ごとに形成位置が異なり前記電動機の運転時に振動が集中する複数の振動集中領域を含む領域に穴が設けられていることを特徴とする電動機固定ベース。
【請求項２】
前記穴は、前記複数の取付脚固定部の間の部分の中央部に設けられていることを特徴とする請求項１に記載の電動機固定ベース。
【発明の詳細な説明】
【技術分野】
【０００１】
本発明は、電動機を固定する電動機固定ベースに関する。
【背景技術】
【０００２】
従来、電動機を固定する電動機固定ベースは、電動機からの振動でベース表面が振動する。ベース表面の面に対して垂直な方向に振動すると、振動が空気に伝播して音が発生する。特に電動機を電動機固定ベースに固定した状態で、固有振動数に近い加振力があると、共振して騒音となる。【０００３】
電動機固定ベースの振動の集中箇所を特定して穴を設け、騒音の低減を図る手法が特許文献１に開示されている。
【先行技術文献】
【特許文献】
【０００４】
【特許文献１】実開平５−１４７９２号公報
【発明の概要】
【発明が解決しようとする課題】
【０００５】
しかしながら、特許文献１に開示される手法は、ベース表面の振動モードを、個々に解析又は実測して確認する必要があり、機種が変わると穴の位置も変更する必要がある。【０００６】
そのため、特許文献１に開示される手法は、電動機固定ベースを複数の機種に対応させることはむずかしく、また、機種によって電動機固定ベースの剛性が変化してしまうという問題があった。【０００７】
本発明は、上記に鑑みてなされたものであって、騒音の発生を抑制して固定可能な電動機の機種が複数であり、固定する電動機の機種によって剛性が変動することを抑えた電動機固定ベースを得ることを目的とする。
【課題を解決するための手段】
【０００８】
上述した課題を解決し、目的を達成するために、本発明は、２以上の機種の電動機のいずれかを択一的に固定可能な電動機固定ベースであって、電動機の複数の取付脚が固定される複数の取付脚固定部と、複数の取付脚固定部に囲まれた部分に設けられて、各機種の電動機を運転した際に振動が集中する複数の振動集中領域を含んだ領域を除去する穴と、を含むことを特徴とする。
【発明の効果】
【０００９】
本発明にかかる電動機固定ベースは、騒音の発生を抑制して固定可能な電動機の機種が複数であり、固定する電動機の機種によって剛性が変動することを抑えることができるという効果を奏する。
【図面の簡単な説明】
【００１０】
【図１】本発明の実施の形態にかかる電動機固定ベースに電動機を固定した状態を示す正面図
【図２】実施の形態にかかる電動機固定ベースに電動機を固定した状態を示す下面図
【図３】実施の形態にかかる電動機固定ベースの穴と振動が集中する箇所と関係を示す図
【発明を実施するための形態】
【００１１】
以下に、本発明の実施の形態にかかる電動機固定ベースを図面に基づいて詳細に説明する。なお、この実施の形態によりこの発明が限定されるものではない。
【００１２】
実施の形態．
図１及び図２を用いて本発明の実施の形態にかかる電動機固定ベースの構造を説明する。図１は、本発明の実施の形態にかかる電動機固定ベースに電動機を固定した状態を示す正面図である。図２は、実施の形態にかかる電動機固定ベースに電動機を固定した状態を示す下面図である。電動機固定ベース１０には、下部に取付脚２が形成された電動機１がボルト２０によって固定されている。電動機固定ベース１０には、電動機１とは異なる機種の電動機を固定することも可能である。すなわち、電動機固定ベース１０は、２以上の機種の電動機のいずれかを択一的に固定可能である。
【００１３】
電動機固定ベース１０は、取付脚２と接する複数の取付脚固定部３，３を有し、取付脚固定部３，３に囲まれた領域の中央部には円形の穴１１が形成されている。取付脚固定部３，３の中央部に穴１１を設けることにより、穴１１による電動機固定ベース１０の剛性の低下を小さく抑えることができる。実施の形態では、ボルト２０が配置された位置を四つ角の頂点とする矩形の中心Ｃと、穴１１の中心Ｏとが一致している。穴１１は、電動機１の回転軸１５を対称軸として線対称に配置されている。
【００１４】
図３を用いて、実施の形態１にかかる電動機固定ベースが備える穴の特性を説明する。穴１１は、取付脚固定部３に固定された各機種の電動機１を運転した際に振動が集中する複数の振動集中領域を含んでいる。図３は、実施の形態にかかる電動機固定ベースの穴の特性を示す図である。図３は、電動機固定ベース１０に機種Ａ、機種Ｂ及び機種Ｃのうちのいずれかの電動機１が固定される場合を例示している。機種Ａの電動機１を電動機固定ベース１０に固定して運転すると、振動集中領域１２に振動が集中する。機種Ｂの電動機１を電動機固定ベース１０に固定して運転すると、振動集中領域１３に振動が集中する。機種Ｃの電動機１を電動機固定ベース１０に固定して運転すると、振動集中領域１４に振動が集中する。
【００１５】
穴１１は、振動集中領域１２，１３，１４を含む領域を除去するように形成されているため、機種Ａ、機種Ｂ及び機種Ｃのいずれを電動機１に用いても、電動機固定ベース１０には、振動が集中する領域は存在しない。このように、穴１１は、取付脚固定部３，３に固定された各機種の電動機１を運転した際に振動が集中する複数の振動集中領域１２，１３，１４を含む領域を除去しているため、電動機固定ベース１０は、電動機１の複数の機種に対応可能であり、共通化を図ることができる。
【００１６】
電動機固定ベース１０は、取付脚固定部３，３に固定された各機種の電動機１を運転した際に振動が集中する複数の振動集中領域１２，１３，１４を含む領域を除去する穴１１が形成されているため、空気に振動を伝える膜状の部分の一部が除去されることとなり、騒音の発生を抑制できる。
【００１７】
また、電動機固定ベース１０は、取付脚固定部３，３に囲まれた部分に穴１１を設けるのみであるため、固定する電動機１の機種によらず剛性は一定である。したがって、電動機固定ベース１０は、騒音の発生を抑制して固定可能な電動機の機種が複数である。
【００１８】
上記の説明においては、穴１１は円形であるとしたが、穴１１の形状は円形でなくてもよく、楕円形又は多角形であってもよい。また、取付脚固定部３，３に囲まれた領域の中央部に穴１１が形成されているとしたが、穴１１の位置は取付脚固定部３，３に囲まれた領域の中央部でなくてもよい。さらに、穴１１の数を２以上としてもよい。
【００１９】
以上の実施の形態に示した構成は、本発明の内容の一例を示すものであり、別の公知の技術と組み合わせることも可能であるし、本発明の要旨を逸脱しない範囲で、構成の一部を省略、変更することも可能である。
【符号の説明】
【００２０】
１  電動機、２  取付脚、３  取付脚固定部、１０  電動機固定ベース、１１  穴、１２，１３，１４  振動集中領域、１５  回転軸、２０  ボルト。
【要約】
２以上の機種の電動機（１）のいずれかを択一的に固定可能な電動機固定ベース（１０）であって、電動機（１）の複数の取付脚が固定される複数の取付脚固定部（３，３）と、複数の取付脚固定部（３，３）に囲まれた部分に設けられて、各機種の電動機（１）を運転した際に振動が集中する複数の振動集中領域を含んだ領域を除去する穴（１１）とを含む。穴（１１）は、複数の取付脚固定部（３，３）に囲まれる領域の中央部に設けられている。【図１】
0005916961.tif 000002
【図２】
0005916961.tif 000003
【図３】
0005916961.tif 000004